(57)【特許請求の範囲】
【請求項１】
電力変換部と、バイパススイッチと、電圧測定部と、制御部とを備え、前記電力変換部から出力される直流電圧及び直流電流を供給して光源を点灯する点灯装置であって、
前記光源は、第１光源部と第２光源部とを有し、前記第１光源部及び前記第２光源部を前記電力変換部の出力端間に電気的に直列接続するように構成され、
前記バイパススイッチは、前記第２光源部と電気的に並列接続され、前記電力変換部の出力電流を前記第２光源部に流さないようにバイパスする短絡状態と、前記出力電流を前記第２光源部に流す開放状態とに切り替えるように構成され、
前記電力変換部は、少なくとも１つのスイッチング素子を有するＤＣ／ＤＣコンバータで構成され、
前記制御部は、前記バイパススイッチを前記短絡状態と前記開放状態とに切り替え、かつ前記スイッチング素子を制御して前記電力変換部の前記出力電流を調整するように構成され、
前記電圧測定部は、前記電力変換部の出力電圧若しくは前記出力電圧を分圧した電圧を測定するように構成され、
前記制御部は、前記バイパススイッチを前記開放状態に切り替えている場合、前記電圧測定部の測定値が所定の第１しきい値以上である場合に前記スイッチング素子を制御して前記電力変換部を停止させ、前記バイパススイッチを前記短絡状態に切り替えている場合、前記電圧測定部の測定値が所定の第２しきい値以上である場合に前記スイッチング素子を制御して前記電力変換部を停止させるように構成され、
前記第２しきい値は、前記バイパススイッチが前記短絡状態である場合の前記電力変換部の前記出力電圧の第１定格値よりも高く、かつ前記バイパススイッチが前記開放状態である場合の前記電力変換部の前記出力電圧の第２定格値よりも低い値に設定され、
前記第１しきい値は、前記第２定格値よりも高い値に設定されることを特徴とする点灯装置。
【請求項２】
前記制御部は、前記バイパススイッチを前記開放状態に切り替えており、かつ前記電圧測定部の測定値が所定の第３しきい値以上である状態が所定の第１継続時間以上継続した場合、若しくは前記バイパススイッチを前記短絡状態に切り替えており、かつ前記電圧測定部の測定値が所定の第４しきい値以上である状態が所定の第２継続時間以上継続した場合に前記スイッチング素子を制御して前記電力変換部を停止させるように構成され、
前記第３しきい値は、前記第２定格値よりも高くかつ前記第１しきい値よりも低い値に設定され、前記第４しきい値は、前記第１定格値よりも高くかつ前記第２しきい値よりも低い値に設定されることを特徴とする請求項１記載の点灯装置。
【請求項３】
前記制御部は、前記バイパススイッチを前記開放状態から前記短絡状態若しくは前記短絡状態から前記開放状態へ切り替えた後の所定の待機時間において、当該待機時間が経過するまでの間、前記電圧測定部の測定値が前記第１しきい値以上である場合に前記スイッチング素子を制御して前記電力変換部を停止させるように構成されることを特徴とする請求項１又は２記載の点灯装置。
【請求項４】
前記バイパススイッチは、トランジスタで構成され、
前記制御部は、前記バイパススイッチを前記短絡状態から前記開放状態に切り替える際、及び前記バイパススイッチを前記開放状態から前記短絡状態に切り替える際において、前記トランジスタの増幅作用を利用して前記出力電流を漸増及び漸減するように構成されることを特徴とする請求項１〜３のいずれか１項に記載の点灯装置。
【請求項５】
前記制御部は、前記バイパススイッチを前記短絡状態と前記開放状態に切り替える際においては、前記電圧測定部の測定値が第５しきい値以上である場合に前記スイッチング素子を制御して前記電力変換部を停止させるように構成され、
前記第５しきい値は、前記第２しきい値よりも高くかつ前記第１しきい値よりも低い値に設定されることを特徴とする請求項１記載の点灯装置。
【請求項６】
請求項１〜５のいずれか１項に記載の点灯装置と、前記点灯装置から供給される電力で点灯する前記光源と、前記光源を収納するハウジングとを備えることを特徴とする前照灯装置。
【請求項７】
請求項６記載の前照灯装置と、前記前照灯装置を搭載する車体とを有することを特徴とする車両。
【発明の詳細な説明】
【技術分野】
【０００１】
本発明は、点灯装置、前照灯装置及び車両に関し、より詳しくは、光源を点灯する点灯装置、当該点灯装置を用いた前照灯装置、及び当該前照灯装置を備える車両に関する。
【背景技術】
【０００２】
従来例として、特許文献１記載の点灯装置を例示する。この点灯装置は、複数個のＬＥＤ（発光ダイオード）の直列回路からなる負荷（光源）に対し、直流電圧を印加して光源を点灯させる。さらに、点灯装置は、一部のＬＥＤ（低電位側の複数個のＬＥＤ）に並列接続されたバイパススイッチを有する。点灯装置は、バイパススイッチをオフとした状態で全てのＬＥＤを点灯させ、バイパススイッチをオンすることにより一部のＬＥＤの両端を短絡して残りのＬＥＤのみを点灯させる。
【０００３】
また、特許文献１記載の点灯装置は、光源に印加される電圧（出力電圧）を測定する電圧測定回路や、光源に流れる電流を測定する電流測定回路と、これらの測定回路の測定結果から異常を検出する異常検出部とを備える。異常検出部は、出力電圧が所定の正常範囲（例えば１０〜４０Ｖ）から外れたときに、異常と判断して点灯装置を停止させる。なお、出力電圧の異常上昇は、例えば、バイパススイッチが開放モードで故障（開放故障）した場合に発生する。
【先行技術文献】
【特許文献】
【０００４】
【特許文献１】特開２０１１−２３３２６４号公報
【発明の概要】
【発明が解決しようとする課題】
【０００５】
ところで、出力電圧の異常上昇の原因として、バイパススイッチの開放故障以外に、例えば、点灯装置と光源（ＬＥＤ）とを電気的に接続するコネクタの接続不良などが考えられる。ただし、コネクタの接続不良が原因の場合、振動などの外的要因により、接続不良の状態と正常な状態とが相互に切り換わる可能性がある。そして、接続不良の状態から正常な状態に復帰した際、通常よりも高い電圧が光源に印加されて光源にダメージを与えるなどの不具合の発生するおそれがある。
【０００６】
本発明は、上記課題に鑑みてなされており、不具合の発生を抑えつつ出力電圧の異常をより確実に検出することを目的とする。
【課題を解決するための手段】
【０００７】
本発明の点灯装置は、電力変換部と、バイパススイッチと、電圧測定部と、制御部とを備え、前記電力変換部から出力される直流電圧及び直流電流を供給して光源を点灯する点灯装置であって、前記光源は、第１光源部と第２光源部とを有し、前記第１光源部及び前記第２光源部を前記電力変換部の出力端間に電気的に直列接続するように構成され、前記バイパススイッチは、前記第２光源部と電気的に並列接続され、前記電力変換部の出力電流を前記第２光源部に流さないようにバイパスする短絡状態と、前記出力電流を前記第２光源部に流す開放状態とに切り替えるように構成され、前記電力変換部は、少なくとも１つのスイッチング素子を有するＤＣ／ＤＣコンバータで構成され、前記制御部は、前記バイパススイッチを前記短絡状態と前記開放状態とに切り替え、かつ前記スイッチング素子を制御して前記電力変換部の前記出力電流を調整するように構成され、前記電圧測定部は、前記電力変換部の出力電圧若しくは前記出力電圧を分圧した電圧を測定するように構成され、前記制御部は、前記バイパススイッチを前記開放状態に切り替えている場合、前記電圧測定部の測定値が所定の第１しきい値以上である場合に前記スイッチング素子を制御して前記電力変換部を停止させ、前記バイパススイッチを前記短絡状態に切り替えている場合、前記電圧測定部の測定値が所定の第２しきい値以上である場合に前記スイッチング素子を制御して前記電力変換部を停止させるように構成され、前記第２しきい値は、前記バイパススイッチが前記短絡状態である場合の前記電力変換部の前記出力電圧の第１定格値よりも高く、かつ前記バイパススイッチが前記開放状態である場合の前記電力変換部の前記出力電圧の第２定格値よりも低い値に設定され、前記第１しきい値は、前記第２定格値よりも高い値に設定されることを特徴とする。
【０００８】
本発明の前照灯装置は、前記点灯装置と、前記点灯装置から供給される電力で点灯する前記光源と、前記光源を収納するハウジングとを備えることを特徴とする。
【０００９】
本発明の車両は、前記前照灯装置と、前記前照灯装置を搭載する車体とを有することを特徴とする。
【発明の効果】
【００１０】
本発明の点灯装置、前照灯装置及び車両は、不具合の発生を抑えつつ出力電圧の異常をより確実に検出することができるという効果がある。
【図面の簡単な説明】
【００１１】
【図１】本発明に係る実施形態１の点灯装置の回路構成図である。
【図２】同上におけるマイコンの動作を説明するためのフローチャートである。
【図３】同上の動作説明用のタイムチャートである。
【図４】同上の動作説明用のタイムチャートである。
【図５】本発明に係る実施形態２の点灯装置におけるマイコンの動作を説明するためのフローチャートである。
【図６】同上の動作説明用のタイムチャートである。
【図７】同上の動作説明用のタイムチャートである。
【図８】本発明に係る実施形態３の点灯装置の動作説明用のタイムチャートである。
【図９】同上の動作説明用のタイムチャートである。
【図１０】本発明に係る実施形態４の点灯装置の動作説明用のタイムチャートである。
【図１１】同上の動作説明用のタイムチャートである。
【図１２】本発明に係る実施形態の前照灯装置を示す概略図である。
【図１３】本発明に係る実施形態の車両を示す概略図である。
【発明を実施するための形態】
【００１２】
（実施形態１）
本発明の実施形態１に係る点灯装置１は、図１に示すように、電力変換部３と、バイパススイッチＱ２と、電圧測定部１３と、制御部とを備え、電力変換部３から出力される直流電圧及び直流電流を供給して光源２を点灯するように構成される。
【００１３】
光源２は、複数（図示例では８個）の発光ダイオード（ＬＥＤ）２０を電気的に直列接続して構成される。ただし、以下の説明においては、光源２を構成する複数のＬＥＤ２０のうち、高電位側の４個のＬＥＤ２０の直列回路を第１光源部２１と呼び、低電位側の４個のＬＥＤ２０の直列回路を第２光源部２２と呼ぶ。
【００１４】
本実施形態の点灯装置１は、自動車などの車両に搭載される前照灯装置に用いられ、第１光源部２１をすれ違い用（ロービーム用）前照灯として用い、第１光源部２１及び第２光源部２２を走行用（ハイビーム用）前照灯として用いるように構成される。
【００１５】
点灯装置１は、３つの入力端子（第１入力端子Ｘ１、第２入力端子Ｘ２及び第３入力端子Ｘ３）と、３つの出力端子（第１出力端子Ｙ１、第２出力端子Ｙ２及び第３出力端子Ｙ３）とを有することが好ましい。第１入力端子Ｘ１は、第１スイッチＳＷ１を介して直流電源Ｂ１の正極と電気的に接続される。第２入力端子Ｘ２は、直流電源Ｂ１の負極と電気的に接続される。第３入力端子Ｘ３は、第２スイッチＳＷ２を介して直流電源Ｂ１の正極と電気的に接続される。なお、直流電源Ｂ１は、車両に搭載されるバッテリである。また、第１スイッチＳＷ１及び第２スイッチＳＷ２は、車両の運転者が容易に操作可能な場所、例えば、車両の運転席の周辺に設けられる。
【００１６】
第１出力端子Ｙ１は、第１光源部２１の正極（高電位側のＬＥＤ２０のアノード）と電気的に接続される。第２出力端子Ｙ２は、第２光源部２２の負極（低電位側のＬＥＤ２０のカソード）と電気的に接続される。第３出力端子Ｙ３は、第１光源部２１の負極（低電位側のＬＥＤ２０のカソード）及び第２光源部２２の正極（高電位側のＬＥＤ２０のアノード）と電気的に接続される。なお、第２出力端子Ｙ２と第３出力端子Ｙ３の間にバイパススイッチＱ２が電気的に接続される。
【００１７】
バイパススイッチＱ２は、ｎチャネルエンハンスメント型のＭＯＳＦＥＴ（Metal-Oxide-Semiconductor Field Effect Transistor）からなる。バイパススイッチＱ２のドレインが第３出力端子Ｙ３と電気的に接続され、バイパススイッチＱ２のソースが第２出力端子Ｙ２と電気的に接続される。つまり、バイパススイッチＱ２は、第２光源部２２と電気的に並列接続され、電力変換部３の出力電流を第２光源部２２に流さないようにバイパスする短絡状態（オン状態）と、出力電流を第２光源部２２に流す開放状態（オフ状態）とに切り替える。バイパススイッチＱ２は、駆動部１９からゲートに駆動信号が入力されることによってオンする。バイパススイッチＱ２がオン状態の場合、第２光源部２２の正極と負極の間が短絡されるので、第１光源部２１のみが点灯する。バイパススイッチＱ２がオフ状態の場合、第１光源部２１及び第２光源部２２の両方が点灯する。
【００１８】
電力変換部３は、フライバック式のＤＣ／ＤＣコンバータで構成される。電力変換部３は、絶縁トランスＴ１、第１スイッチング素子Ｑ１、ダイオードＤ１、コンデンサＣ１、１次電流測定部３０などを備える。絶縁トランスＴ１の１次巻線は、巻き始め側の端子が第１入力端子Ｘ１と電気的に接続され、巻き終わり側の端子が第１スイッチング素子Ｑ１を介して第２入力端子Ｘ２と電気的に接続される。また、絶縁トランスＴ１の２次巻線は、巻き終わり側の端子が第１出力端子Ｙ１と電気的に接続され、巻き始め側の端子がダイオードＤ１及び電流検出用の抵抗Ｒ３を介して第２出力端子Ｙ２と電気的に接続される。コンデンサＣ１は、２次巻線の巻き終わり側の端子とダイオードＤ１のアノードとの間に電気的に直列接続される。
【００１９】
第１スイッチング素子Ｑ１は、ｎチャネルエンハンスメント型のＭＯＳＦＥＴからなる。第１スイッチング素子Ｑ１のドレインは、１次巻線の巻き終わり側の端子と電気的に接続され、第１スイッチング素子Ｑ１のソースは、第２入力端子Ｘ２と電気的に接続される。
【００２０】
電力変換部３には、第１スイッチＳＷ１のオン・オフと連動して直流電源Ｂ１から直流電圧・直流電流が供給される。すなわち、第１スイッチＳＷ１がオンしている場合、直流電源Ｂ１から電力変換部３に直流電圧・直流電流が供給される。また、第１スイッチＳＷ１がオフしている場合、直流電源Ｂ１から電力変換部３への直流電圧・直流電流の供給が停止する。電力変換部３は、第１スイッチング素子Ｑ１が周期的にオン・オフされることにより、コンデンサＣ１の両端に直流電圧（出力電圧）を発生させる。
【００２１】
以下、電力変換部３の動作について説明する。第１スイッチング素子Ｑ１がオンすると、トランスＴ１の１次巻線に電流（励磁電流）が流れる。励磁電流が流れると、第１スイッチング素子Ｑ１のオン抵抗における電圧降下によって、スイッチング素子Ｑ１のドレイン−ソース間電圧が立ち上がる。ここで、電力変換部３は、トランスＴ１の１次巻線に流れる１次電流を測定する１次電流測定部３０を備えている。１次電流測定部３０は、第１スイッチング素子Ｑ１のドレイン−ソース間電圧を測定することにより、励磁電流を間接的に測定するように構成される。なお、１次電流測定部３０は、測定した電圧（励磁電流の大きさに比例した電圧）を比較器１０に出力する。
【００２２】
比較器１０は、１次電流測定部３０の測定電圧と、マイクロコントローラ４の比較演算部４３から出力される制御電圧とを比較し、測定電圧が制御電圧よりも高い場合に出力をハイレベルとする。比較器１０の出力は、ＲＳフリップフロップ回路からなる順序回路１１のリセット端子に入力される。つまり、１次電流測定部３０の測定電圧が制御電圧を超えると、リセット端子への入力電圧が立ち上がるので、順序回路１１の出力がローレベルに立ち下がる。順序回路１１の出力は、第１スイッチング素子Ｑ１のゲートに入力されている。したがって、順序回路１１の出力がローレベルになることで第１スイッチング素子Ｑ１がオフする。
【００２３】
第１スイッチング素子Ｑ１がオフすると、トランスＴ１の１次巻線に蓄積されたエネルギが２次側へ吐き出される。その後、エネルギの吐き出しが終了すると、第１スイッチング素子Ｑ１のドレイン−ソース間電圧が立ち下がる。このドレイン−ソース間電圧の立ち下がりは、微分回路１２で検出される。そして、微分回路１２の検出出力は、順序回路１１のセット端子に入力される。つまり、微分回路１２の検出出力によってセット端子の入力電圧が立ち上がると、順序回路１１の出力がハイレベルとり、第１スイッチング素子Ｑ１が再びオンする。このように、電力変換部３は、電流臨界モード（Boundary Current Mode）で制御される。
【００２４】
点灯装置１は、通常時には、光源２に流れる電流を一定に制御する定電流制御により光源２を点灯させる。この定電流制御は、マイクロコントローラ（以下、マイコンと略す）４を主構成要素とする制御部によって行われる。ここで、第１出力端子Ｙ１と第２出力端子Ｙ２の間には、分圧抵抗Ｒ１、Ｒ２の直列回路が電気的に接続されている。また、電力変換部３の低電位側の出力端（ダイオードＤ１のアノードとコンデンサＣ１の接続点）と、第２出力端子Ｙ２との間には、電流検出用の抵抗Ｒ３が電気的に接続されている。点灯装置１が備える電圧測定部１３は、電力変換部３の出力電圧を分圧抵抗Ｒ１、Ｒ２で分圧した電圧（第１測定電圧）を測定し、電力変換部３の出力電圧に対応した第１測定電圧をマイコン４に出力するように構成される。また、点灯装置１が備える電流測定部１４は、抵抗Ｒ３の両端電圧（第２測定電圧）を測定することにより、電力変換部３の出力電流に対応した第２測定電圧をマイコン４に出力するように構成される。
【００２５】
マイコン４は、内蔵するＣＰＵ（Central Processing Unit）で様々なプログラムを実行することにより、種々の機能を実現するように構成される。以下の説明においては、マイコン４のハードウェアを利用してそれぞれの機能を実現するプログラムモジュールを「〜部」と表現する。本実施形態におけるマイコン４は、図１に示すように、第１平均化部４０、第２平均化部４１、電流司令部４２、比較演算部４３、切替制御部４４、しきい値出力部４５などを備える。
【００２６】
第１平均化部４０は、電圧測定部１３から入力される第１測定電圧を平均化するように構成される。例えば、第１平均化部４０は、第１測定電圧をアナログ・デジタル変換して得られる第１測定電圧値のデータの移動平均を求めるように構成されることが好ましい。
【００２７】
第２平均化部４１は、電流測定部１４から入力される第２測定電圧を平均化するように構成される。例えば、第２平均化部４１は、第２測定電圧をアナログ・デジタル変換して得られる第２測定電圧値のデータの移動平均を求めるように構成されることが好ましい。
【００２８】
電流司令部４２は、マイコン４のメモリに格納されている出力電流の目標値を読み出して比較演算部４３に渡す。比較演算部４３は、電流司令部４２から受け取る目標値と、第２平均化部４１が求めた出力電流の平均値（実際は第２測定電圧の平均値）とを比較し、両者の差分に応じた１次電流指令値を演算するように構成される。例えば、比較演算部４３は、平均値が目標値を上回っている場合は低く、平均値が目標値を下回っている場合は高くなるように１次電流指令値を演算することが好ましい。なお、マイコン４は、比較演算部４３から出力される１次電流指令値をアナログ電圧からなる制御電圧にＤ／Ａ変換して比較器１０に出力する。
【００２９】
１次電流指令値が低くなると制御電圧が下降するので、第１スイッチング素子Ｑ１のオンデューティ比が低下して出力電流が減少する。一方、１次電流指令値が高くなると制御電圧が上昇するので、第１スイッチング素子Ｑ１のオンデューティ比が上昇して出力電流が増加する。つまり、マイコン４は、第１スイッチング素子Ｑ１をＰＷＭ（パルス幅変調）制御することで電力変換部３の出力電流を定電流制御するように構成されている。
【００３０】
切替制御部４４は、第２電源検出部１６の検出結果に応じて、切替制御信号を出力するように構成される。第２電源検出部１６は、第３入力端子Ｘ３の電圧（グランドとの電位差）が所定値以上のときに第２検出信号を出力し、第３入力端子Ｘ３の電圧が所定値未満のときは第２検出信号を出力しないように構成される。つまり、第２電源検出部１６は、第３入力端子Ｘ３の電圧を所定値と比較することによって、第２スイッチＳＷ２のオン／オフを検出している。切替制御部４４は、第２電源検出部１６から第２検出信号が入力されている場合は切替制御信号を出力せず、第２電源検出部１６から第２検出信号が入力されていない場合に切替制御信号を出力する。駆動部１９は、切替制御信号が入力されている間は、バイパススイッチＱ２のゲートに駆動信号を出力してバイパススイッチＱ２をオンする。また、駆動部１９は、切替制御信号が入力されない間は、駆動信号を出力せずにバイパススイッチＱ２をオフする。
【００３１】
したがって、第２スイッチＳＷ２がオンの場合、マイコン４によってバイパススイッチＱ２がオフに切り替えられ、第１光源部２１と第２光源部２２が双方とも点灯する。また、第２スイッチＳＷ２がオフの場合、マイコン４によってバイパススイッチＱ２がオンに切り替えられ、第１光源部２１のみが点灯する。
【００３２】
また、マイコン４は、第１電源検出部１５で検出する電圧に応じて、電力変換部３を動作させるか否かを判断するように構成されることが好ましい。第１電源検出部１５は、第１入力端子Ｘ１の電圧（第１入力端子Ｘ１と第２入力端子Ｘ２との電位差）を計測し、その計測値を示す第１検出信号をマイコン４に出力するように構成される。マイコン４は、第１検出信号が所定の点灯可能範囲内にあれば、動作可能と判断して電力変換部３を動作させ、第１検出信号が所定の点灯可能範囲内になければ、動作不可と判断して電力変換部３を動作させないことが好ましい。
【００３３】
なお、マイコン４は、制御電源生成部１７で生成される制御電源電圧を受けて動作する。制御電源生成部１７は、第１スイッチＳＷ１を介して直流電源Ｂ１から供給される直流電圧から制御電源電圧を生成するように構成される。
【００３４】
また、点灯装置１は、異常停止部１８を備えている。異常停止部１８は、コンパレータ１８０、入力抵抗Ｒ４、Ｒ５、第３スイッチング素子Ｑ３を有する。コンパレータ１８０のプラス端子には、入力抵抗Ｒ４を介して、電圧測定部１３の第１測定電圧が入力される。また、コンパレータ１８０のマイナス端子には、入力抵抗Ｒ５を介して、マイコン４のしきい値出力部４５から過電圧しきい値が入力される。つまり、コンパレータ１８０は、第１測定電圧と過電圧しきい値とを比較し、第１測定電圧が過電圧しきい値以上の場合に出力をハイレベルとし、第１測定電圧が過電圧しきい値未満の場合に出力をローレベルとする。第３スイッチング素子Ｑ３は、ｎチャネルエンハンスメント型のＭＯＳＦＥＴからなる。第３スイッチング素子Ｑ３のドレインは、順序回路１１のセット端子と電気的に接続され、第３スイッチング素子Ｑ３のソースは、グランドと電気的に接続される。第３スイッチング素子Ｑ３のゲートは、コンパレータ１８０の出力端子と電気的に接続される。
【００３５】
すなわち、コンパレータ１８０の出力がローレベルのときは第３スイッチング素子Ｑ３がオフ状態に維持されるため、順序回路１１のセット端子に微分回路１２の検出出力が入力される。一方、コンパレータ１８０の出力がハイレベルのときは第３スイッチング素子Ｑ３がオンするので、順序回路１１のセット端子が第３スイッチング素子Ｑ３を介してグランドに接地される。そのため、微分回路１２の検出出力は、順序回路１１のセット端子に入力されなくなる。その結果、順序回路１１の出力がハイレベルに切り替わらないので、第１スイッチング素子Ｑ１がオフのままとなり、電力変換部３が停止する。電力変換部３が停止すると、第１測定電圧が低下して過電圧しきい値を下回るため、異常停止部１８の出力（コンパレータ１８０の出力）がローレベルに切り替わる。異常停止部１８の出力がローレベルとなれば、微分回路１２の検出出力が順序回路１１のセット端子に入力されて第１スイッチング素子Ｑ１が再びオンする。しかしながら、電力変換部３の出力電圧を上昇させる原因、例えば、光源２の開放故障が取り除かれない限り、異常停止部１８の出力がハイレベルとローレベルに交互に切り替わることになる。その結果、電力変換部３の出力電圧は、第１測定電圧が過電圧しきい値にほぼ等しくなる電圧（過電圧）に維持される。
【００３６】
上述のように電力変換部３の出力電圧が過電圧となる状況が継続すると、光源２、バイパススイッチＱ２、マイコン４などに過大なストレスが加わり続けることになる。そこで、マイコン４は、第１平均化部４０から出力される第１測定電圧の平均値と、しきい値出力部４５から出力される高電圧しきい値とを比較し、第１測定電圧の平均値が高電圧しきい値以上となる状態の継続時間をカウントすることが好ましい。マイコン４は、継続時間が所定の上限値（例えば、１５０ミリ秒）に達した場合に電力変換部３を恒久的に停止させる処理を実行することが好ましい。例えば、マイコン４は、比較演算部４３から出力される１次電流指令値をほぼゼロにすればよい。つまり、マイコン４は、光源２の定格電圧よりも高い電圧（過電圧）が光源２に印加され続けた場合、光源２、バイパススイッチＱ２、マイコン４などを保護するため、速やかに電力変換部３を停止することが好ましい。
【００３７】
ここで、点灯装置１は、第１フィルタ部５０と第２フィルタ部５１を備えることが好ましい。第１フィルタ部５０及び第２フィルタ部５１は、双方とも低域通過フィルタからなり、電圧測定部１３から出力される第１測定電圧に重畳する高調波ノイズを除去するように構成されることが好ましい。第１フィルタ部５０でフィルタリングされた第１測定電圧は、異常停止部１８に入力される。第２フィルタ部５１でフィルタリングされた第１測定電圧は、第１平均化部４０に入力される。なお、第１フィルタ部５０における低域通過フィルタの時定数は、第２フィルタ部５１における低域通過フィルタの時定数よりも十分に小さいことが好ましい。つまり、マイコン４は、第１平均化部４０で第１測定電圧を平均化し、さらに、第１測定電圧の平均値が高電圧しきい値以上となる継続時間をカウントしているので、応答性よりも低ノイズ性を重視して時定数を大きくすることが好ましい。一方、異常停止部１８は、低ノイズ性よりも応答性を重視して時定数を小さくすることが好ましい。
【００３８】
ところで、第１測定電圧が過電圧しきい値を上回る原因が、例えば、点灯装置１の出力端子Ｙ１〜Ｙ３と光源２との接続不良であった場合、振動などの外的要因により、接続不良の状態と正常な状態とが相互に切り替わる可能性がある。したがって、第１測定電圧の平均値が高電圧しきい値以上となる状態の継続時間が上限値に達する前に、正常な接続状態に復帰した場合、定格電圧よりも高い過電圧が光源２に印加され、定格電圧と過電圧との差分に応じた突入電流が各ＬＥＤ２０に流れる虞がある。特に、過電圧しきい値が、各光源部２１、２２のそれぞれの定格電圧の合計値よりも高い値に設定され、かつ第１光源部２１のみが点灯している状況で接続不良から復帰した場合、より大きな突入電流が第１光源部２１及びバイパススイッチＱ２に流れてしまう。
【００３９】
そこで、本実施形態の点灯装置１は、第１光源部２１のみを点灯しているとき（以下、すれ違い点灯時という）と、第１光源部２１及び第２光源部２２を点灯しているとき（以下、走行点灯時という）とで過電圧しきい値を変更している。つまり、マイコン４のしきい値出力部４５は、第２検出信号が入力されている場合（走行点灯時）、過電圧しきい値を第１しきい値とし、第２検出信号が入力されていない場合（すれ違い点灯時）、過電圧しきい値を第２しきい値（＜第１しきい値）とする。ただし、第１しきい値は、各光源部２１、２２のそれぞれの定格電圧の合計値よりも高い値に設定される。また、第２しきい値は、第１光源部２１の定格電圧よりも高く、かつ各光源部２１、２２のそれぞれの定格電圧の合計値よりも低い値に設定される。例えば、各光源部２１、２２のそれぞれの定格電圧を１５±３［Ｖ］と仮定した場合、第１しきい値は、４１×（分圧抵抗Ｒ１、Ｒ２の分圧比）［Ｖ］、第２しきい値は、２３×（分圧抵抗Ｒ１、Ｒ２の分圧比）［Ｖ］に設定されることが好ましい。なお、分圧抵抗Ｒ１、Ｒ２の分圧比は、分圧抵抗Ｒ１、Ｒ２の抵抗値をそれぞれｒ１、ｒ２としたとき、ｒ２／（ｒ１＋ｒ２）となる。ただし、第１しきい値及び第２しきい値は、これらの値に限定されない。
【００４０】
さらに、しきい値出力部４５は、すれ違い点灯時と走行点灯時とで、過電圧しきい値だけでなく、高電圧しきい値も変更することが好ましい。つまり、しきい値出力部４５は、走行点灯時の高電圧しきい値を第３しきい値とし、すれ違い点灯時の高電圧しきい値を第４しきい値（＜第３しきい値）とすることが好ましい。ただし、第３しきい値は、各光源部２１、２２のそれぞれの定格電圧の合計値よりも高く、かつ第１しきい値よりも低い値に設定される。また、第４しきい値は、第１光源部２１の定格電圧よりも高く、かつ第２しきい値よりも低い値に設定される。例えば、各光源部２１、２２のそれぞれの定格電圧を１５±３［Ｖ］とし、第１しきい値が４１×（分圧抵抗Ｒ１、Ｒ２の分圧比）［Ｖ］、第２しきい値が２３×（分圧抵抗Ｒ１、Ｒ２の分圧比）［Ｖ］に設定されていると仮定する。この場合、第３しきい値は、３８×（分圧抵抗Ｒ１、Ｒ２の分圧比）［Ｖ］に設定され、第４しきい値は、２０×（分圧抵抗Ｒ１、Ｒ２の分圧比）［Ｖ］に設定されることが好ましい。ただし、第１〜第４しきい値は、これらの値に限定されない。
【００４１】
次に、図２のフローチャート並びに図３のタイムチャートを参照して、本実施形態の点灯装置１の動作、特に、光源部２が開放故障して電力変換部３の出力電圧が正常時よりも上昇した場合の動作を説明する。ただし、図２のフローチャートは、マイコン４の動作（処理）を示している。
【００４２】
マイコン４は、第１スイッチＳＷ１が投入されると（図３の時刻ｔ＝ｔ１）、既に説明したように電力変換部３の出力電流を目標値（光源２の定格電流値）に一致させるように定電流制御を行う。また、マイコン４は、第２検出信号の入力の有無を監視している（図２のステップＳ１）。第２検出信号がマイコン４に入力されている場合、しきい値出力部４５は、過電圧しきい値を第１しきい値に設定し、かつ高電圧しきい値を第３しきい値に設定する（図２のステップＳ２）。光源２及び点灯装置１に故障が生じていなければ、電力変換部３の出力電圧は、第１光源部２１の定格電圧と第２光源部２２の定格電圧の合計電圧に等しく、かつ第３しきい値よりも低い電圧（第２定格値）で安定する（図３参照）。
【００４３】
ここで、点灯中の第１光源部２１又は第２光源部２２が開放故障すると（時刻ｔ＝ｔ２）、マイコン４の定電流制御によって、電力変換部３の出力電圧が上昇する（図３参照）。電力変換部３の出力電圧が上昇して第１測定電圧が過電圧しきい値（第１しきい値）を上回ると（時刻ｔ＝ｔ４）、異常停止部１８が電力変換部３を停止させる。そして、既に説明したように、出力電圧の上昇の原因（例えば、第２光源部２２の開放故障）が取り除かれない限り、異常停止部１８の出力がハイレベルとローレベルに交互に切り替わりることになる。そのため、電力変換部３の出力電圧は、第１測定電圧が過電圧しきい値にほぼ等しくなる過電圧に維持される（図３参照）。
【００４４】
一方、マイコン４は、常に第１測定電圧の平均値と高電圧しきい値（第３しきい値）とを比較し（図２のステップＳ４）、第１測定電圧の平均値が高電圧しきい値（第３しきい値）を下回っている間は、継続時間のカウントをリセットする（図２のステップＳ５）。一方、電力変換部３の出力電圧が上昇して第１測定電圧の平均値が高電圧しきい値（第３しきい値）を上回ると（時刻ｔ＝ｔ３）、マイコン４は、継続時間のカウントを開始する（図２のステップＳ６）。そして、マイコン４は、継続時間をカウントしている間、継続時間と上限値ＴＵ１（例えば、ＴＵ１＝１５０ミリ秒）とを比較する（図２のステップＳ７）。継続時間が上限値ＴＵ１未満であれば、マイコン４は、ステップＳ４に戻って第１測定電圧の平均値と高電圧しきい値（第３しきい値）を比較する。一方、継続時間が上限値ＴＵ１以上になれば（時刻ｔ＝ｔ５）、マイコン４は、電力変換部３を恒久的に停止させる（図２のステップＳ８）。
【００４５】
また、第２検出信号がマイコン４に入力されていない場合（時刻ｔ＝ｔ６）、しきい値出力部４５は、過電圧しきい値を第２しきい値に設定し、かつ高電圧しきい値を第４しきい値に設定する（図２のステップＳ３）。光源２及び点灯装置１に故障が生じていなければ、電力変換部３の出力電圧は、第１光源部２１の定格電圧に等しく、かつ第４しきい値よりも低い電圧（第１定格値）で安定する（図３参照）。
【００４６】
点灯中の第１光源部２１が開放故障すると（時刻ｔ＝ｔ７）、マイコン４の定電流制御によって、電力変換部３の出力電圧が上昇する（図３参照）。電力変換部３の出力電圧が上昇して第１測定電圧が過電圧しきい値（第２しきい値）を上回ると（時刻ｔ＝ｔ８）、異常停止部１８が電力変換部３を停止させる。そして、電力変換部３の出力電圧は、第１測定電圧が過電圧しきい値にほぼ等しくなる過電圧に維持される（図３参照）。
【００４７】
マイコン４は、第１測定電圧の平均値と高電圧しきい値（第４しきい値）とを比較し（図２のステップＳ４）、第１測定電圧の平均値が高電圧しきい値（第４しきい値）を下回っている間は、継続時間のカウントをリセットする（図２のステップＳ５）。一方、電力変換部３の出力電圧が上昇して第１測定電圧の平均値が高電圧しきい値（第４しきい値）を上回ると、マイコン４は、継続時間のカウントを開始する（図２のステップＳ６）。そして、マイコン４は、継続時間をカウントしている間、継続時間と上限値ＴＵ２（例えば、ＴＵ２＝１５０ミリ秒）とを比較する（図２のステップＳ７）。継続時間が上限値ＴＵ２未満であれば、マイコン４は、ステップＳ４に戻って第１測定電圧の平均値と高電圧しきい値を比較する。一方、継続時間が上限値ＴＵ２以上になれば（時刻ｔ＝ｔ９）、マイコン４は、電力変換部３を恒久的に停止させる（図２のステップＳ８）。
【００４８】
次に、図４のタイムチャートを参照して、バイパススイッチＱ２が開放故障した場合の点灯装置１の動作を説明する。第２スイッチＳＷ２がオフの場合、バイパススイッチＱ２が開放故障していても、点灯装置１は、正常に動作する（時刻ｔ＝ｔ１〜ｔ２）。一方、第２スイッチＳＷ２がオンの場合、駆動部１９が駆動信号を出力してもバイパススイッチＱ２がオンせず、開放状態から短絡状態に切り替わらない。この場合、しきい値出力部４５は、第２検出信号が入力されていないので、過電圧しきい値を第２しきい値に設定し、かつ高電圧しきい値を第４しきい値に設定する。
【００４９】
したがって、マイコン４が定電流制御を開始すると（時刻ｔ＝ｔ３）、電力変換部３の出力電圧が直ちに過電圧しきい値（第２しきい値）を上回ってしまう（時刻ｔ＝ｔ４）。そのため、電力変換部３の出力電圧は、過電圧しきい値（第２しきい値）とほぼ等しい電圧で安定してしまう。そして、電力変換部３の出力電圧が過電圧しきい値（第２しきい値）とほぼ等しい電圧で安定している時間（継続時間）が上限値ＴＵ２に達すると、マイコン４は、電力変換部３を恒久的に停止させる（時刻ｔ＝ｔ５）。したがって、運転者は、第１スイッチＳＷ１をオンしているにも関わらず、光源２が消灯するため、点灯装置１あるいは光源２の故障を知ることができる。なお、第１スイッチＳＷ１と第２スイッチＳＷ２を両方ともオンすれば、点灯装置１は、とりあえず、第１光源部２１と第２光源部２２を点灯させることができる。ゆえに、運転者は、例え夜間に点灯装置１あるいは光源２の故障を知ったとしても、安全な場所（自宅や修理工場など）まで車両を走行させることができる。
【００５０】
上述のように本実施形態の点灯装置１は、第１光源部２１のみを点灯する場合と、第１光源部２１と第２光源部２２を双方とも点灯する場合とで、過電圧しきい値を第１しきい値及び第２しきい値に変更している（ただし、第２しきい値＜第１しきい値）。そのため、過電圧しきい値が第１しきい値に固定されている場合と比較して、正常な状態に復帰した際、光源２に流れる突入電流を抑制することができる。さらに、第１光源部２１のみを点灯する場合において、本実施形態の点灯装置１は、第１しきい値よりも低い第２しきい値を過電圧しきい値とすることにより、電力変換部３の出力電圧の異常をより精度よく検出ことができる。ゆえに、本実施形態の点灯装置１は、光源２にダメージを与えるような不具合の発生を抑えつつ、電力変換部３の出力電圧の異常をより確実に検出することができる。ただし、継続時間と比較される上限値ＴＵ１、ＴＵ２は、同じ値でもよいし、異なる値でもよい。
【００５１】
上述のように本実施形態の点灯装置１は、電力変換部３と、バイパススイッチＱ２と、電圧測定部１３と、制御部（マイコン４、比較器１０、順序回路１１、微分回路１２、異常停止部１８、駆動部１９）とを備える。点灯装置１は、電力変換部３から出力される直流電圧及び直流電流を供給して光源２を点灯する。光源２は、第１光源部２１と第２光源部２２とを有し、第１光源部２１及び第２光源部２２を電力変換部３の出力端（第１出力端子Ｙ１、第２出力端子Ｙ２）間に電気的に直列接続するように構成される。バイパススイッチＱ２は、第２光源部２２と電気的に並列接続され、電力変換部３の出力電流を第２光源部２２に流さないようにバイパスする短絡状態と、出力電流を第２光源部２２に流す開放状態とに切り替えるように構成される。電力変換部３は、少なくとも１つのスイッチング素子（第１スイッチング素子）Ｑ１を有するＤＣ／ＤＣコンバータで構成される。制御部は、バイパススイッチＱ２を短絡状態と開放状態とに切り替え、かつスイッチング素子Ｑ１を制御して電力変換部３の出力電流を調整するように構成される。電圧測定部１３は、電力変換部３の出力電圧若しくは出力電圧を分圧した電圧を測定するように構成される。制御部は、バイパススイッチＱ２を開放状態に切り替えている場合、電圧測定部１３の測定値（第１測定電圧）が所定の第１しきい値以上である場合にスイッチング素子Ｑ１を制御して電力変換部３を停止させる。また、制御部は、バイパススイッチＱ２を短絡状態に切り替えている場合、電圧測定部１３の測定値が所定の第２しきい値以上である場合にスイッチング素子Ｑ１を制御して電力変換部３を停止させるように構成される。第２しきい値は、バイパススイッチＱ２が短絡状態である場合の電力変換部３の出力電圧の第１定格値よりも高く、かつバイパススイッチＱ２が開放状態である場合の電力変換部３の出力電圧の第２定格値よりも低い値に設定される。第１しきい値は、第２定格値よりも高い値に設定される。
【００５２】
本実施形態の点灯装置１は上述のように構成され、バイパススイッチＱ２の状態に応じて、電力変換部３の出力電圧に対するしきい値電圧を変更するので、不具合の発生を抑えつつ、電力変換部３の出力電圧の異常をより確実に検出することができる。
【００５３】
本実施形態の点灯装置１において、制御部は、以下のように構成されることが好ましい。制御部は、電圧測定部１３の測定値が所定の第３しきい値又は第４しきい値以上である状態が所定の第１継続時間ＴＵ１又は第２継続時間ＴＵ２以上継続した場合に、スイッチング素子を制御して前記電力変換部を停止させるように構成されることが好ましい。制御部は、前記バイパススイッチを前記短絡状態に切り替えている場合は第３のしきい値と第１継続時間ＴＵ１を採用し、前記バイパススイッチを前記短絡状態に切り替えている場合は第４のしきい値と第２継続時間ＴＵ２を採用することが好ましい。なお、第３しきい値は、第２定格値よりも高くかつ第１しきい値よりも低い値に設定されることが好ましい。また、第４しきい値は、第１定格値よりも高くかつ第２しきい値よりも低い値に設定されることが好ましい。
【００５４】
本実施形態の点灯装置１が上述のように構成されれば、光源２やバイパススイッチＱ２に過電圧が長時間に渡って印加され続けることを防ぐことができる。
【００５５】
（実施形態２）
本発明の実施形態２に係る点灯装置１は、図１に示した実施形態１の点灯装置１と共通の回路構成を有している。したがって、本実施形態の点灯装置１の回路構成に関する説明及び図示は省略する。
【００５６】
本実施形態の点灯装置１は、バイパススイッチＱ２をオンした場合、所定の待機時間が経過した後に、過電圧しきい値及び高電圧しきい値を変更する点に特徴がある。
【００５７】
以下、図５のフローチャート並びに図６、図７のタイムチャートを参照して、本実施形態の点灯装置１の動作を説明する。ただし、図５のフローチャートは、マイコン４の動作（処理）を示している。
【００５８】
マイコン４は、第１スイッチＳＷ１が投入されると（時刻ｔ＝ｔ１）、既に説明したように電力変換部３の出力電流を目標値（光源２の定格電流値）に一致させるように定電流制御を行う。ここで、第２検出信号がマイコン４に入力されている場合、しきい値出力部４５は、過電圧しきい値を第１しきい値に設定し、かつ高電圧しきい値を第３しきい値に設定する。したがって、光源２及び点灯装置１に故障が生じていなければ、電力変換部３の出力電圧は、第２定格値で安定する（図６参照）。一方、第２検出信号がマイコン４に入力されていない場合、しきい値出力部４５は、過電圧しきい値を第２しきい値に設定し、かつ高電圧しきい値を第４しきい値に設定する。したがって、光源２及び点灯装置１に故障が生じていなければ、電力変換部３の出力電圧は、第１定格値で安定する（図７参照）。
【００５９】
そして、第２スイッチＳＷ２がオフされると、第２電源検出部１６から第２検出信号が入力されなくなるので、切替制御部４４が切替制御信号を出力する。また、駆動部１９は、切替制御信号が入力されると、駆動信号を出力してバイパススイッチＱ２をオンする（図６の時刻ｔ＝ｔ２）。
【００６０】
また、マイコン４は、第２検出信号が入力されなくなった時点（図６の時刻ｔ＝ｔ２）から所定の待機時間ＴＷが経過するのを待つ（図５のステップＳ３）。そして、マイコン４のしきい値出力部４５は、待機時間ＴＷが経過した後（図６の時刻ｔ＝ｔ３）、過電圧しきい値及び高電圧しきい値を、それぞれ第２しきい値並びに第４しきい値に設定する（図５のステップＳ４）。なお、待機時間ＴＷは、例えば、３０ミリ秒程度が好ましい。
【００６１】
一方、第２スイッチＳＷ２がオンされると、第２電源検出部１６から第２検出信号が入力されるので、切替制御部４４が切替制御信号を出力する。そして、駆動部１９は、切替制御信号が入力されなくなると、駆動信号を出力せずにバイパススイッチＱ２をオフする（図７の時刻ｔ＝ｔ２）。マイコン４のしきい値出力部４５は、第２検出信号が入力されると、待機時間ＴＷを待つこと無く、過電圧しきい値及び高電圧しきい値を、それぞれ第１しきい値並びに第３しきい値に設定する（図５のステップＳ２）。なお、図５のステップＳ５〜ステップＳ９の処理は、図２のステップＳ４〜ステップＳ８の処理と共通であるから、説明を省略する。
【００６２】
図６及び図７に示すように、電圧測定部１３で測定される電力変換部３の出力電圧（第１測定電圧）は、駆動部１９が駆動信号を出力するまでの遅延や、バイパススイッチＱ２の遷移時間などにより、緩やかに変化する。したがって、実施形態１のように、しきい値出力部４５が第２検出信号の変化に同期して過電圧しきい値及び高電圧しきい値を変更する場合、第１測定電圧が過電圧しきい値を上回り、点灯装置１が光源２を一時的に消灯させてしまう虞がある。
【００６３】
これに対して本実施形態の点灯装置１では、マイコン４が第２検出信号に応じてバイパススイッチＱ２をオンした時点から所定の待機時間ＴＷが経過するまでは、しきい値出力部４５が過電圧しきい値を第１しきい値から第２しきい値に変更しない。そのため、電力変換部３の出力電圧が下降している間に、異常停止部１８が電力変換部３を停止させてしまうことがないから、光源２が一時的に消灯することもない（図６参照）。
【００６４】
一方、マイコン４が第２検出信号に応じてバイパススイッチＱ２をオフする場合においては、しきい値出力部４５が、待機時間ＴＷを待たずに過電圧しきい値を第２しきい値から第１しきい値に変更する。そのため、電力変換部３の出力電圧が上昇している間に、異常停止部１８が電力変換部３を停止させてしまうことがないから、光源２が一時的に消灯することもない（図７参照）。
【００６５】
上述のように本実施形態の点灯装置１において、制御部は、待機時間ＴＷが経過するまでの間、電圧測定部１３の測定値（第１測定電圧）が第１しきい値以上である場合にスイッチング素子Ｑ１を制御して電力変換部３を停止させるように構成されることが好ましい。ただし、待機時間ＴＷは、バイパススイッチＱ２を開放状態から短絡状態若しくは短絡状態から開放状態へ切り替えた後の所定の時間とする。
【００６６】
本実施形態の点灯装置１が上述のように構成されれば、電力変換部３の出力電圧が変化する途中で光源２を一時的に消灯させてしまうことを回避できる。
【００６７】
（実施形態３）
本発明の実施形態３に係る点灯装置１は、図１に示した実施形態１の点灯装置１と共通の回路構成を有している。したがって、本実施形態の点灯装置１の回路構成に関する説明及び図示は省略する。
【００６８】
本実施形態の点灯装置１は、駆動部１９及び切替制御部４４に特徴がある。駆動部１９は、例えば、ＣＲ積分回路のような低域通過フィルタを有しており、この低域通過フィルタを通過した駆動信号でバイパススイッチＱ２を駆動（オン・オフ）するように構成される。
【００６９】
一方、本実施形態における切替制御部４４は、切替制御信号をパルス幅変調するように構成される。切替制御部４４は、第２電源検出部１６の第２検出信号が立ち下がると、切替制御信号のオンデューティ比を０％から１００％まで徐々に高くする。また、切替制御部４４は、第２電源検出部１６の第２検出信号が立ち上がると、切替制御信号のオンデューティ比を１００％から０％まで徐々に低くする。
【００７０】
切替制御信号のオンデューティ比が０％から１００％まで徐々に高くされる場合、駆動部１９が出力する駆動信号は、０［Ｖ］から規定の電圧（バイパススイッチＱ２が完全にオンするゲート電圧）まで徐々に上昇する。バイパススイッチＱ２は、ゲート電圧が上昇するに連れてオン抵抗を減少させ、第２光源部２２に流れる電流を定格値からゼロまで漸減する。
【００７１】
一方、切替制御信号のオンデューティ比が１００％から０％まで徐々に低くされる場合、駆動部１９が出力する駆動信号は、規定の電圧から０［Ｖ］まで徐々に下降する。バイパススイッチＱ２は、ゲート電圧が下降するに連れてオン抵抗を増加させ、第２光源部２２に流れる電流をゼロから定格値まで漸増する。
【００７２】
つまり、本実施形態の点灯装置１では、バイパススイッチＱ２を構成するＭＯＳＦＥＴの増幅作用を利用して、バイパススイッチＱ２のオン・オフが切り替わるときに第２光源部２２に流れる電流を緩やかに変化させる。その結果、本実施形態の点灯装置１は、第２光源部２２に加わるストレスを低減し、かつバイパススイッチＱ２のオン・オフに伴う光源２のちらつきを抑えることができる。
【００７３】
以下、図８及び図９のタイムチャートを参照して、本実施形態の点灯装置１の動作を説明する。ただし、図８は、走行点灯状態（第２スイッチＳＷ２がオンの状態）からすれ違い点灯状態（第２スイッチＳＷ２がオフの状態）に切り替わる場合を示している。また、図９は、すれ違い点灯状態（第２スイッチＳＷ２がオフの状態）から走行点灯状態（第２スイッチＳＷ２がオンの状態）に切り替わる場合を示している。
【００７４】
まず、図８を参照して、走行点灯状態からすれ違い点灯状態への切替時の動作を説明する。
【００７５】
マイコン４は、第１スイッチＳＷ１が投入されると（時刻ｔ＝ｔ１）、既に説明したように電力変換部３の出力電流を目標値（光源２の定格電流値）に一致させるように定電流制御を行う。ここで、第２検出信号がマイコン４に入力されている場合、しきい値出力部４５は、過電圧しきい値を第１しきい値に設定し、かつ高電圧しきい値を第３しきい値に設定する。したがって、光源２及び点灯装置１に故障が生じていなければ、電力変換部３の出力電圧は、第２定格値で安定する。
【００７６】
そして、第２スイッチＳＷ２がオフされると、第２電源検出部１６の第２検出信号がローレベルに立ち下がる（時刻ｔ＝ｔ２）。切替制御部４４は、第２検出信号が立ち下がると、切替制御信号のオンデューティ比を徐々に高くする。駆動部１９は、切替制御信号に応じて、駆動信号を０［Ｖ］から規定の電圧まで徐々に上昇させる（時刻ｔ＝ｔ２〜ｔ３）。バイパススイッチＱ２は、駆動電圧の上昇に伴ってオン抵抗を減少させ、第２光源部２２に流れる電流を定格値からゼロまで漸減する。
【００７７】
また、マイコン４は、第２検出信号が立ち下がった時点（時刻ｔ＝ｔ２）から所定の待機時間ＴＷが経過するのを待つ。そして、マイコン４のしきい値出力部４５は、待機時間ＴＷが経過した後、過電圧しきい値及び高電圧しきい値を、それぞれ第２しきい値並びに第４しきい値に設定する（時刻ｔ＝ｔ４）。なお、待機時間ＴＷは、駆動信号の立ち上がりに要する時間（時刻ｔ＝ｔ２〜ｔ３までの時間）と、バイパススイッチＱ２が完全にオンするまでの時間との合計時間、例えば、９０ミリ秒程度が好ましい。ただし、待機時間ＴＷは、駆動信号の立ち上がりに要する時間と等しい時間であっても構わない。
【００７８】
続いて、図９を参照して、すれ違い点灯状態から走行点灯状態への切替時の動作を説明する。
【００７９】
マイコン４は、第１スイッチＳＷ１が投入されると（時刻ｔ＝ｔ１）、既に説明したように電力変換部３の出力電流を目標値（光源２の定格電流値）に一致させるように定電流制御を行う。ここで、第２検出信号がマイコン４に入力されていない場合、しきい値出力部４５は、過電圧しきい値を第２しきい値に設定し、かつ高電圧しきい値を第４しきい値に設定する。したがって、光源２及び点灯装置１に故障が生じていなければ、電力変換部３の出力電圧は、第１定格値で安定する。
【００８０】
そして、第２スイッチＳＷ２がオンされると、第２電源検出部１６の第２検出信号がハイレベルに立ち上がる（時刻ｔ＝ｔ２）。切替制御部４４は、第２検出信号が立ち上がると、切替制御信号のオンデューティ比を徐々に低くする。駆動部１９は、切替制御信号に応じて、駆動信号を規定の電圧から０［Ｖ］まで徐々に下降させる（時刻ｔ＝ｔ２〜ｔ３）。バイパススイッチＱ２は、駆動電圧の下降に伴ってオン抵抗を増加させ、第２光源部２２に流れる電流をゼロから定格値まで漸増する。
【００８１】
また、マイコン４のしきい値出力部４５は、第２検出信号が立ち下がった時点で過電圧しきい値及び高電圧しきい値を、それぞれ第１しきい値並びに第３しきい値に設定する（時刻ｔ＝ｔ２）。
【００８２】
本実施形態の点灯装置１において、バイパススイッチＱ２は、トランジスタ（ｎチャネルエンハンスメント型のＭＯＳＦＥＴ）で構成されることが好ましい。制御部は、バイパススイッチＱ２を短絡状態から開放状態に切り替える際において、トランジスタの増幅作用を利用して出力電流を漸増及び漸減するように構成されることが好ましい。制御部は、バイパススイッチＱ２を開放状態から短絡状態に切り替える際において、トランジスタの増幅作用を利用して出力電流を漸増及び漸減するように構成されることが好ましい。
【００８３】
本実施形態の点灯装置１が上述のように構成されれば、光源２に加わるストレスを低減し、かつバイパススイッチＱ２のオン・オフに伴う光源２のちらつきを抑えることができる。
【００８４】
（実施形態４）
本発明の実施形態４に係る点灯装置１は、図１に示した実施形態１の点灯装置１と共通の回路構成を有している。したがって、本実施形態の点灯装置１の回路構成に関する説明及び図示は省略する。
【００８５】
本実施形態の点灯装置１は、バイパススイッチＱ２のオン・オフを切り替える際、過電圧しきい値が第５しきい値に設定されることに特徴がある。また、本実施形態の点灯装置１は、バイパススイッチＱ２のオン・オフを切り替える際、高電圧しきい値が第６しきい値に設定されることにも特徴がある。ただし、第５しきい値は、第１しきい値よりも低く、かつ第２しきい値よりも高い値に設定される。また、第６しきい値は、第３しきい値よりも低く、かつ第４しきい値よりも高い値に設定される。
【００８６】
ここで、マイコン４は、第２検出信号が立ち下がると、しきい値出力部４５から出力される第５しきい値を、第１しきい値から第２しきい値まで一定の割合（例えば、−０．２［Ｖ／ｍｓ］程度）で減少させることが好ましい。同様に、マイコン４は、第２検出信号が立ち下がると、しきい値出力部４５から出力される第６しきい値を、第３しきい値から第４しきい値まで一定の割合（例えば、−０．２［Ｖ／ｍｓ］程度）で減少させることが好ましい。
【００８７】
一方、第２検出信号が立ち上がると、マイコン４は、しきい値出力部４５から出力される第５しきい値を、第２しきい値から第１しきい値まで一定の割合（例えば、２［Ｖ／ｍｓ］程度）で増加させることが好ましい。同様に、マイコン４は、第２検出信号が立ち上がると、しきい値出力部４５から出力される第６しきい値を、第４しきい値から第３しきい値まで一定の割合（例えば、２［Ｖ／ｍｓ］程度）で増加させることが好ましい。
【００８８】
以下、図１０及び図１１のタイムチャートを参照して、本実施形態の点灯装置１の動作を説明する。ただし、図１０は、走行点灯状態（第２スイッチＳＷ２がオンの状態）からすれ違い点灯状態（第２スイッチＳＷ２がオフの状態）に切り替わる場合を示している。また、図１１は、すれ違い点灯状態（第２スイッチＳＷ２がオフの状態）から走行点灯状態（第２スイッチＳＷ２がオンの状態）に切り替わる場合を示している。
【００８９】
まず、図１０を参照して、走行点灯状態からすれ違い点灯状態への切替時の動作を説明する。
【００９０】
マイコン４は、第１スイッチＳＷ１が投入されると（時刻ｔ＝ｔ１）、既に説明したように電力変換部３の出力電流を目標値（光源２の定格電流値）に一致させるように定電流制御を行う。ここで、第２検出信号がマイコン４に入力されている場合、しきい値出力部４５は、過電圧しきい値を第１しきい値に設定し、かつ高電圧しきい値を第３しきい値に設定する。したがって、光源２及び点灯装置１に故障が生じていなければ、電力変換部３の出力電圧は、第２定格値で安定する。
【００９１】
そして、第２スイッチＳＷ２がオフされると、第２電源検出部１６の第２検出信号がローレベルに立ち下がる（時刻ｔ＝ｔ２）。しきい値出力部４５は、第２検出信号が立ち下がると、過電圧しきい値を第１しきい値から第２しきい値まで一定の割合（例えば、−０．２［Ｖ／ｍｓ］）で減少させる。同時に、しきい値出力部４５は、高電圧しきい値を第３しきい値から第４しきい値まで一定の割合（例えば、−０．２［Ｖ／ｍｓ］）で減少させる。そして、しきい値出力部４５は、時刻ｔ＝ｔ３の時点で、過電圧しきい値及び高電圧しきい値をそれぞれ第２しきい値及び第４しきい値に設定する。
【００９２】
続いて、図１１を参照して、すれ違い点灯状態から走行点灯状態への切替時の動作を説明する。
【００９３】
マイコン４は、第１スイッチＳＷ１が投入されると（時刻ｔ＝ｔ１）、既に説明したように電力変換部３の出力電流を目標値（光源２の定格電流値）に一致させるように定電流制御を行う。ここで、第２検出信号がマイコン４に入力されていない場合、しきい値出力部４５は、過電圧しきい値を第２しきい値に設定し、かつ高電圧しきい値を第４しきい値に設定する。したがって、光源２及び点灯装置１に故障が生じていなければ、電力変換部３の出力電圧は、第１定格値で安定する。
【００９４】
そして、第２スイッチＳＷ２がオンされると、第２電源検出部１６の第２検出信号がハイレベルに立ち上がる（時刻ｔ＝ｔ２）。しきい値出力部４５は、第２検出信号が立ち上がると、過電圧しきい値を第２しきい値から第１しきい値まで一定の割合（例えば、２［Ｖ／ｍｓ］）で増加させる。同時に、しきい値出力部４５は、高電圧しきい値を第４しきい値から第３しきい値まで一定の割合（例えば、２［Ｖ／ｍｓ］）で増加させる。そして、しきい値出力部４５は、時刻ｔ＝ｔ３の時点で、過電圧しきい値及び高電圧しきい値をそれぞれ第１しきい値及び第３しきい値に設定する。
【００９５】
上述のように本実施形態の点灯装置１では、バイパススイッチＱ２のオン・オフを切り替える際、過電圧しきい値が、第１しきい値よりも低く、かつ第２しきい値よりも高い第５しきい値に設定される。また、本実施形態の点灯装置１では、バイパススイッチＱ２のオン・オフを切り替える際、高電圧しきい値が、第３しきい値よりも低く、かつ第４しきい値よりも高い第６しきい値に設定される。
【００９６】
したがって、本実施形態の点灯装置１は、走行点灯状態とすれ違い点灯状態との切り替え時における過渡的な出力電圧の変化に対しても、光源２の開放故障などの異常の発生を検出することができる。
【００９７】
上述のように本実施形態の点灯装置１において、制御部（マイコン４、しきい値出力部４５）は、バイパススイッチＱ２を短絡状態と開放状態に切り替える際においては、電圧測定部１３の測定値を第５しきい値と比較することが好ましい。制御部は、測定値が第５しきい値以上である場合にスイッチング素子Ｑ１を制御して電力変換部３を停止させるように構成されることが好ましい。第５しきい値は、第２しきい値よりも高くかつ第１しきい値よりも低い値に設定されることが好ましい。
【００９８】
本実施形態の点灯装置１が上述のように構成されれば、電力変換部３の出力電圧が変化している間にも、光源２の開放故障などの異常の発生を検出することができる。
【００９９】
（実施形態５）
本発明の実施形態に係る前照灯装置１００を説明する。本実施形態の前照灯装置１００は、図１２に示すように、実施形態１〜４のいずれかの点灯装置１と、光源２と、光源２を収容するハウジング１０１とを備える。第１光源部２１及び第２光源部２２は、それぞれ灯体１１０に取り付けられる。第１光源部２１が取り付けられる各灯体１１０には、レンズ１１１と、反射板１１２が設けられる。また、第２光源部２２が取り付けられる各灯体１１０には、レンズ１１１が設けられる。
【０１００】
上述のように本実施形態の前照灯装置１００は、点灯装置１と、点灯装置１から供給される電力で点灯する光源２と、光源２を収納するハウジング１０１とを備える。
【０１０１】
本実施形態の前照灯装置１００は上述のように構成されるので、不具合の発生を抑えつつ、電力変換部３の出力電圧の異常をより確実に検出することができる。
【０１０２】
また、本発明の実施形態に係る車両２００は、図１３に示すように、１対の前照灯装置１００を車体２０１に搭載している。各前照灯装置１００の点灯装置１は、車内の運転席に設けられた第１スイッチＳＷ１及び第２スイッチＳＷ２と電気的に接続されている。したがって、第１スイッチＳＷ１のみをオンすれば、すれ違い用の前照灯（各前照灯装置１００の第１光源部２１）が点灯する。さらに、第１スイッチＳＷ１及び第２スイッチＳＷ２をオンすれば、走行用の前照灯（各前照灯装置１００の第１光源部２１及び第２光源部２２）が点灯する。
【０１０３】
上述のように本実施形態の車両２００は、前照灯装置１００と、前照灯装置１００を搭載する車体２０１とを有する。
【０１０４】
本実施形態の車両２００は上述のように構成されるので、不具合の発生を抑えつつ、電力変換部３の出力電圧の異常をより確実に検出することができる。
【符号の説明】
【０１０５】
１  点灯装置
２  光源
３  電力変換部
４  マイコン（制御部）
１３  電圧測定部
２１  第１光源部
２２  第２光源部
１００  前照灯装置
１０１  ハウジング
２００  車両
Ｑ１  スイッチング素子
Ｑ２  バイパススイッチ
【図１】
0006544674.tif 000002
【図２】
0006544674.tif 000003
【図３】
0006544674.tif 000004
【図４】
0006544674.tif 000005
【図５】
0006544674.tif 000006
【図６】
0006544674.tif 000007
【図７】
0006544674.tif 000008
【図８】
0006544674.tif 000009
【図９】
0006544674.tif 000010
【図１０】
0006544674.tif 000011
【図１１】
0006544674.tif 000012
【図１２】
0006544674.tif 000013
【図１３】
0006544674.tif 000014